(57)【特許請求の範囲】
【請求項１】
筒状に巻回された線材を保持して梱包箱に収納される線材保持具であって、
前記線材の端部を覆うカバーと、
該カバーから突出しており、前記線材の径方向中央部に挿入される芯材と
を備え、
前記カバー及び芯材は、平行な二つのスリットを有する折り曲げ可能な平面部材によって構成されており、
前記平面部材における前記二つのスリットの間の部分が前記スリットに直交する折り線を頂又は谷底にして突出することによって、前記芯材が形成されており、
前記平面部材の非突出部分によって、前記カバーが形成されており、
前記カバー及び芯材は前記平面部材になるように展開可能であること
を特徴とする線材保持具。
【請求項２】
筒状に巻回された線材を保持して梱包箱に収納される線材保持具であって、
前記線材の端部を覆うカバーと、
該カバーから突出しており、前記線材の径方向中央部に挿入される芯材と、
前記カバーに回動可能に連結し、前記線材の反対側に突出可能なフラップと
を備え、
前記カバー及び芯材は、平行な二つのスリットを有する折り曲げ可能な平面部材によって構成されており、
前記平面部材における前記二つのスリットの間の部分が前記スリットに直交する折り線を頂又は谷底にして突出することによって、前記芯材が形成されており、
前記平面部材の非突出部分によって、前記カバーが形成されており、
前記カバー及び芯材は前記平面部材になるように展開可能であること
を特徴とする線材保持具。
【請求項３】
前記カバーを二つ備え、
前記カバー夫々は前記線材の一端部及び他端部を覆い、
前記カバー夫々から突出した前記芯材が前記線材の径方向中央部に挿入されており、
一方の前記芯材に、他方の前記芯材が係合するスリット状の切り欠きが設けられていること
を特徴とする請求項１又は２に記載の線材保持具。
【請求項４】
前記線材を保持した請求項１〜３のいずれか一つに記載の線材保持具を収容すること
を特徴とする梱包箱。
【発明の詳細な説明】
【技術分野】
【０００１】
本発明は、筒状に巻回された線材を保持する線材保持具及び該線材保持具によって保持された線材を収納する梱包箱に関する。
【背景技術】
【０００２】
従来、電子機器を梱包箱に固定する包装材が提案されている（例えば特許文献１参照）。包装材は、搬送中において、電子機器に衝撃が加わることを防止する。
【先行技術文献】
【特許文献】
【０００３】
【特許文献１】特開２０１０―１７３６８０号公報
【発明の概要】
【発明が解決しようとする課題】
【０００４】
筒状に巻回された線材、例えば半田用線材を梱包箱に収納して搬送する場合がある。筒状に巻回された線材は外周及び端部が包装フィルムに覆われている。線材の内周部分は包装フィルムで覆われていない。そのため線材が搬送中に内周側に偏倚することがある。
【０００５】
偏倚した状態で線材が搬送先にてワイヤフィーダに搭載された場合、ワイヤフィーダによって送出されている時に、線材が切断されるおそれがある。線材によっては、内部に液体を封止しているので、切断によって液体が漏出する。
【０００６】
本発明は係る事情に鑑みてなされたものであり、線材の位置ずれを防止することができる線材保持具及び梱包箱を提供することを目的とする。
【課題を解決するための手段】
【０００７】
本発明に係る線材保持具は、筒状に巻回された線材を保持して梱包箱に収納される線材保持具であって、前記線材の端部を覆うカバーと、該カバーから突出しており、前記線材の径方向中央部に挿入される芯材とを備えることを特徴とする。
【０００８】
本発明においては、筒状に巻回された線材の中央部、すなわち空洞に芯材が挿入されるため、線材が位置ずれしない。
【０００９】
本発明に係る線材保持具は、前記カバーを二つ備え、前記カバー夫々は前記線材の一端部及び他端部を覆い、前記カバー夫々から突出した前記芯材が前記線材の径方向中央部に挿入されており、一方の前記芯材に、他方の前記芯材が係合するスリット状の切り欠きが設けられていることを特徴とする。
【００１０】
本発明においては、一方の芯材に設けた切り欠きに、他方の芯材が挿入されるので、二つの芯材が一体化し、線材の空洞全体に芯材が挿入され、線材の位置ずれが確実に防止される。
【００１１】
本発明に係る線材保持具は、前記カバー及び芯材は、平行な二つのスリットを有する折り曲げ可能な平面部材によって構成されており、前記平面部材における前記二つのスリットの間の部分が前記スリットに直交する折り線を頂又は谷底にして突出することによって、前記芯材が形成されており、前記平面部材の非突出部分によって、前記カバーが形成されており、前記カバー及び芯材は前記平面部材になるように展開可能であることを特徴とする。
【００１２】
本発明においては、平面部材にスリットを設け、折り畳むことによって、芯材及びカバーが形成されるため、線材保持具を線材から取り外した後に平面状に展開させて、平面部材に戻し、線材保持具の占有空間を削減することができる。
【００１３】
本発明に係る梱包箱は、前記線材を保持した前述したいずれかの線材保持具を収容することを特徴とする。
【００１４】
本発明においては、梱包箱に収容した線材の位置ずれを防止することができる。
【発明の効果】
【００１５】
本発明に係る線材保持具及び梱包箱にあっては、筒状に巻回された線材の中央部、すなわち空洞に芯材を挿入することによって、線材が内周側に偏倚することを防止し、位置ずれさせることなく、ワイヤフィーダに搭載させることができる。
【図面の簡単な説明】
【００１６】
【図１】梱包箱に収納した線材保持具を略示する縦断面図である。
【図２】第１保持具を略示する斜視図である。
【図３】第２保持具を略示する斜視図である。
【図４】平面部材を略示する平面図である。
【図５】折り畳み中の平面部材又は展開中の第１保持具を略示する斜視図である。
【図６】第２平面部材を略示する平面図である。
【図７】折り畳み中の第２平面部材又は展開中の第２保持具を略示する斜視図である。
【発明を実施するための形態】
【００１７】
以下本発明を実施の形態に係る線材保持具１及び梱包箱１００を示す図面に基づいて説明する。図１は、梱包箱１００に収納した線材保持具１を略示する縦断面図である。線材保持具１は、筒状に巻回された線材（以下筒状線材７０という）を保持して、梱包箱１００に収容されている。梱包箱１００は、矩形の底面部１０１と、該底面部１０１の各辺から立ち上がった矩形の側面部１０２と、各側面部１０２の上縁から延出した矩形の蓋１０３とを備える。
【００１８】
筒状線材７０は、コイル状に巻回した線材（以下単にコイルという）に対し、その外側に更に大径の他のコイルを形成するように、巻回を繰り返して形成されている。筒状線材７０の径方向中央部には、軸方向に沿った円筒状の空洞７１が形成されている。筒状線材７０の外周面及び両端面には包装フィルム７２が設けられている。一方、筒状線材７０の内周面には包装フィルム７２は設けられていない。筒状線材７０は、軸方向を上下方向として梱包箱１００に収納されている。
【００１９】
線材保持具１は、第１保持具１０及び第２保持具２０を備える。図２は第１保持具１０を略示する斜視図である。図２に示すように、第１保持具１０は、矩形の底板部１１と、該底板部１１の対向する二辺夫々から立ち上がった矩形の側板部１２、１２と、各側板部１２の上縁から延出した矩形の蓋板部１３、１３とを備える。
【００２０】
底板部１１の上面中央部には、筒状線材７０を保持する矩形の保持板部１４が立設している。保持板部１４の下辺は底板部１１に連なっており、側板部１２の下辺と略平行である。保持板部１４の横寸法は空洞７１の直径に略等しい。
【００２１】
底板部１１の下面には矩形板状の二つのフラップ１５、１５が設けられている。二つのフラップ１５の上辺は、保持板部１４の下辺の延長線上において、保持板部１４の両側に夫々位置し、保持板部１４の下辺に隣接している。即ち、フラップ１５の上辺と保持板部１４の下辺とは平面視において、略同一直線上に位置する。フラップ１５は、上辺を支点にして回動可能に構成されている。
【００２２】
図１に示すように、底板部１１は筒状線材７０の下部を覆う。保持板部１４は筒状線材７０の下側から空洞７１に挿入されており、筒状線材７０を内側から保持する。また側板部１２は筒状線材７０の外周面を覆う。蓋板部１３は、内側に倒すことによって、筒状線材７０の上部を覆う。なおフラップ１５は、底板部１１と略平行になるように横倒しにされ、底面部１０１と底板部１１との間に位置する。
【００２３】
図３は第２保持具２０を略示する斜視図である。図３に示すように、第２保持具２０は、矩形の上板部２１と、該上板部２１の対向する二辺夫々から下方に延出した矩形の第２側板部２２、２２とを備える。
【００２４】
上板部２１の下面中央部には、筒状線材７０を保持する矩形の第２保持板部２３が下方に突出している。第２保持板部２３の上辺は上板部２１に連なっており、第２側板部２２の上辺と略平行である。第２保持板部２３の横寸法は空洞７１の直径に略等しい。第２保持板部２３の下辺中央部には、コの字状の切り欠き２３ａが設けられている。
【００２５】
また上板部２１の上面には、矩形板状の二つの第２フラップ２４、２４が設けられている。二つの第２フラップ２４の下辺は、第２保持板部２３の上辺の延長線上において、第２保持板部２３の両側に夫々位置し、第２保持板部２３の上辺に隣接している。即ち、第２フラップ２４の下辺と第２保持板部２３の上辺とは平面視において、略同一線上に位置する。第２フラップ２４は、下辺を支点にして回動可能に構成されている。
【００２６】
図１に示すように、第２保持板部２３が保持板部１４に対して直交するように、第２保持具２０は筒状線材７０の上側に設けられている。第２保持板部２３は筒状線材７０の上側から空洞７１に挿入されており、筒状線材７０を内側から保持する。保持板部１４は切り欠き２３ａに挿入されて、第２保持板部２３に係合し、保持板部１４及び第２保持板部２３は連結される。第２側板部２２は筒状線材７０の外周面を覆っており、前記側板部１２が覆う外周面の部分とは異なる部分を覆う。第２フラップ２４は、第２保持具２０を引き上げる為の取手として機能する。なお梱包箱１００に収納する場合、上板部２１に平行になるように、第２フラップ２４を横倒しにすれば、蓋１０３による梱包箱１００の閉鎖を円滑に行うことができる。
【００２７】
なお第２保持具２０は、蓋板部１３を開いた状態で筒状線材７０の上側に配置され、保持板部１４及び第２保持板部２３の連結後、蓋板部１３は閉じられる。また保持板部１４、第２保持板部２３及び切り欠き２３ａの上下寸法は、保持板部１４が切り欠き２３ａの最奥部まで完全に挿入された場合に、線材保持具１の上下寸法が筒状線材７０の上下寸法以上になるように、設定されている。
【００２８】
第１保持具１０は展開可能に構成されており、展開することによって、一枚の平面部材３０になる。換言すれば、第１保持具１０は、一枚の平面部材３０を折り畳むことによって作成される。図４は平面部材３０を略示する平面図、図５は折り畳み中の平面部材３０又は展開中の第１保持具１０を略示する斜視図である。
【００２９】
以下の説明に使用する谷折り線及び山折り線は、平面視した場合における谷折り線及び山折り線を示す。図４に示すように、平面部材３０は横長矩形状をなし、折り曲げ可能なシート状の部材（例えば紙）によって構成されている。平面部材３０の長手方向中央部に、長手方向に延びた互いに平行な第１スリット３０ａ及び第２スリット３０ｂが長手方向に直交する方向に並設されている。第１スリット３０ａ及び第２スリット３０ｂの寸法は略同じであり、第１スリット３０ａ及び第２スリット３０ｂの長手方向の位置も略同じである。
【００３０】
第１スリット３０ａ及び第２スリット３０ｂの間に山折り線３１が設けられている。山折り線３１は、第１スリット３０ａ及び第２スリット３０ｂに直交しており、第１スリット３０ａ及び第２スリット３０ｂの中点を結ぶ。山折り線３１の延長線上において、第１スリット３０ａを間にして山折り線３１の反対側に谷折り線３２が設けられており、第２スリット３０ｂを間にして山折り線３１の反対側に谷折り線３３が設けられている。
【００３１】
第１スリット３０ａ及び第２スリット３０ｂの対向する一端部同士を結ぶように、山折り線３１に平行な谷折り線３４ａが設けられている。谷折り線３４ａの延長線上において、第１スリット３０ａを間にして谷折り線３４ａの反対側に、山折り線３５ａが設けられており、第２スリット３０ｂを間にして谷折り線３４ａの反対側に、山折り線３６ａが設けられている。
【００３２】
第１スリット３０ａ及び第２スリット３０ｂの対向する他端部同士を結ぶように、山折り線３１に平行な谷折り線３４ｂが設けられている。谷折り線３４ｂの延長線上において、第１スリット３０ａを間にして谷折り線３４ｂの反対側に、山折り線３５ｂが設けられており、第２スリット３０ｂを間にして谷折り線３４ｂの反対側に、山折り線３６ｂが設けられている。
【００３３】
二つの谷折り線３４ａ、３４ｂの間の領域は保持板部１４に相当する。また二つの山折り線３５ａ、３５ｂの間の領域及び二つの山折り線３６ａ、３６ｂの間の領域は、夫々フラップ１５に相当する。
【００３４】
谷折り線３４ａから、山折り線３１の反対側に離隔した位置に、谷折り線３４ａに略平行な二つの谷折り線３７ａ、３８ａが平面部材３０の長手方向に順に並設されている。二つの谷折り線３７ａ、３８ａの間の領域は一方の側板部１２に相当し、谷折り線３８ａを基準にして、谷折り線３７ａの反対側の領域は一方の蓋板部１３に相当する。
【００３５】
谷折り線３４ｂから、山折り線３１の反対側に離隔した位置に、谷折り線３４ｂに略平行な二つの谷折り線３７ｂ、３８ｂが平面部材３０の長手方向に順に並設されている。二つの谷折り線３７ｂ、３８ｂは、平面部材３０の全幅（長手方向に直交する方向の寸法）に亘って設けられている。
【００３６】
二つの谷折り線３７ｂ、３８ｂの間の領域は他方の側板部１２に相当し、谷折り線３８ｂを基準にして、谷折り線３７ｂの反対側の領域は他方の蓋板部１３に相当する。また谷折り線３７ａと、谷折り線３４ａ、山折り線３５ａ及び山折り線３６ａとの間の領域、並びに谷折り線３７ｂと、谷折り線３４ｂ、山折り線３５ｂ及び山折り線３６ｂとの間の領域は底板部１１に相当する。
【００３７】
図５に示すように、各山折り線及び谷折り線に従って、平面部材３０を折り畳むことによって、第１保持具１０を作成することができる。保持板部１４は、山折り線３１を頂きにして、底板部１１から突出する。逆に、第１保持具１０を展開することによって、平面部材３０に戻すことができる。
【００３８】
第２保持具２０は展開可能に構成されており、展開することによって、一枚の第２平面部材４０になる。換言すれば、第２保持具２０は、一枚の第２平面部材４０を折り畳むことによって作成される。図６は第２平面部材４０を略示する平面図、図７は折り畳み中の第２平面部材４０又は展開中の第２保持具２０を略示する斜視図である。
【００３９】
図６に示すように、第２平面部材４０は横長矩形状をなし、折り曲げ可能なシート状の部材（例えば紙）によって構成されている。第２平面部材４０の長手方向中央部に、長手方向に延びた互いに平行な第３スリット４１及び第４スリット４２が長手方向に直交する方向に並設されている。第３スリット４１及び第４スリット４２の長さは略同じであり、第３スリット４１及び第４スリット４２の長手方向の位置も略同じである。
【００４０】
第３スリット４１及び第４スリット４２の間に、長手方向に延びた互いに平行な第５スリット４３及び第６スリット４４が長手方向に直交する方向に並設されている。第５スリット４３は第３スリット４１側に位置し、第６スリット４４は第４スリット４２側に位置する。
【００４１】
第５スリット４３及び第６スリット４４の寸法は略同じであり、第３スリット４１及び第４スリット４２よりも短い。また第５スリット４３及び第６スリット４４の長手方向位置は略同じであり、長手方向において、第３スリット４１及び第４スリット４２の中点と、第５スリット４３及び第６スリット４４の中点とは略同じ位置にある。
【００４２】
第５スリット４３及び第６スリット４４の間に山折り線４５が設けられている。山折り線４５は第５スリット４３及び第６スリット４４に直交しており、第５スリット４３及び第６スリット４４の中点を結ぶ。第５スリット４３及び第６スリット４４の対向する一端部同士を結ぶように、山折り線４５に平行な谷折り線４６が設けられている。第５スリット４３及び第６スリット４４の対向する他端部同士を結ぶように、山折り線４５に平行な谷折り線４７が設けられている。
【００４３】
第３スリット４１及び第５スリット４３の間に谷折り線４５ａが設けられている。谷折り線４５ａは第３スリット４１及び第５スリット４３に直交しており、第３スリット４１及び第５スリット４３の中点を結ぶ。第４スリット４２及び第６スリット４４の間に谷折り線４５ｂが設けられている。谷折り線４５ｂは第４スリット４２及び第６スリット４４に直交しており、第４スリット４２及び第６スリット４４の中点を結ぶ。
【００４４】
山折り線４５の延長線上において、第３スリット４１を間にして第５スリット４３の反対側に、山折り線４８が設けられており、第４スリット４２を間にして第６スリット４４の反対側に、山折り線４９が設けられている。
【００４５】
第３スリット４１及び第４スリット４２の対向する一端部同士を結ぶように、谷折り線４５ａ、４５ｂに平行な山折り線５０ａが設けられている。第５スリット４３及び第６スリット４４の対向する他端部同士を結ぶように、谷折り線４５ａ、４５ｂに平行な山折り線５０ｂが設けられている。
【００４６】
山折り線５０ａの延長線上において、第３スリット４１側に谷折り線５１ａが設けられており、第４スリット４２側に谷折り線５２ａが設けられている。山折り線５０ｂの延長線上において、第３スリット４１側に谷折り線５１ｂが設けられており、第４スリット４２側に谷折り線５２ｂが設けられている。
【００４７】
二つの谷折り線５１ａ及び５１ｂの間の領域、並びに二つの谷折り線５２ａ及び５２ｂの間の領域は、夫々第２フラップ２４、２４に相当する。二つの山折り線５０ａ及び５０ｂの間の領域は、第２保持板部２３に相当する。
【００４８】
山折り線５０ａから、谷折り線４５ａ、４５ｂの反対側に離隔した位置に、山折り線５０ａに略平行な山折り線５３ａが設けられている。また山折り線５０ｂから、谷折り線４５ａ、４５ｂの反対側に離隔した位置に、山折り線５０ｂに略平行な山折り線５３ｂが設けられている。
【００４９】
山折り線５０ａ、谷折り線５１ａ及び谷折り線５２ａと、山折り線５３ａとの間の領域、並びに山折り線５０ｂ、谷折り線５１ｂ及び谷折り線５２ｂと、山折り線５３ｂとの間の領域は、夫々上板部２１に相当する。また山折り線５３ａを基準にして、山折り線５０ａの反対側の領域は一方の第２側板部２２に相当し、山折り線５３ｂを基準にして、山折り線５０ｂの反対側の領域は他方の第２側板部２２に相当する。
【００５０】
図７に示すように、各山折り線及び谷折り線に従って、第２平面部材４０を折り畳むことによって、第２保持具２０を作成することができる。第２保持板部２３は、谷折り線４５ａ、４５ｂを谷底にして、上板部２１から突出する。逆に、第２保持具２０を展開することによって、第２平面部材４０に戻すことができる。
【００５１】
また第５スリット４３及び第６スリット４４の間の領域は第２フラップ２４と同方向に突出し、第２保持板部２３の内側に収納される。そのため第５スリット４３及び第６スリット４４の間に開口が形成され、この開口が切り欠き２３ａを形成する。
【００５２】
実施の形態に係る線材保持具１にあっては、筒状線材７０の中央部、すなわち空洞７１に保持板部１４及び第２保持板部２３（芯材）を挿入することによって、筒状線材７０が内周側に偏倚することを防止し、位置ずれさせることなく、ワイヤフィーダに搭載させることができる。
【００５３】
また第２保持板部２３に設けた切り欠き２３ａに、保持板部１４が挿入されるので、保持板部１４及び第２保持板部２３が一体化し、筒状線材７０の空洞７１全体に保持板部１４及び第２保持板部２３が挿入され、筒状線材７０の位置ずれを確実に防止することができる。
【００５４】
また平面部材３０及び第２平面部材４０にスリットを設け、折り畳むことによって、保持板部１４及び第２保持板部２３、並びに底板部１１及び上板部２１（カバー）が形成されるため、線材保持具１を筒状線材７０から取り外した後に平面状に展開させて、平面部材３０及び第２平面部材４０に戻し、線材保持具１の占有空間を削減させることができる。
【００５５】
なお切り欠き２３ａを保持板部１４に形成し、保持板部１４及び第２保持板部２３夫々の切り欠き２３ａを係合させてもよく、また第２保持板部２３に切り欠き２３ａを設けず、保持板部１４にのみ切り欠き２３ａを設けてもよい。
【００５６】
また保持板部１４及び第２保持板部２３を別部材とし、平面部材３０及び第２平面部材４０に連結させる構成であってもよい。また第１保持具１０を上側に配し、第２保持具２０を下側に配してもよい。
【００５７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００５８】
１  線材保持具
１０  第１保持具
１１  底板部（カバー）
１４  第１保持板部（芯材）
２０  第２保持具
２１  上板部（カバー）
２３  第２保持板部（芯材）
２３ａ  切り欠き
３０  平面部材
３０ａ  第１スリット
３０ｂ  第２スリット
３１  山折り線
４０  第２平面部材
４１  第３スリット
４２  第４スリット
４５ａ  谷折り線
４５ｂ  谷折り線
７０  線材
１００  梱包箱
【図１】
0006688566.tif 000002
【図２】
0006688566.tif 000003
【図３】
0006688566.tif 000004
【図４】
0006688566.tif 000005
【図５】
0006688566.tif 000006
【図６】
0006688566.tif 000007
【図７】
0006688566.tif 000008